(57)【要約】【課題】基準色以外の色の画像について、倍率をレジスト調整前に仮調整することでレジスト調整時のレジスト量が調整可能範囲を超えないようにし、画像位置を基準色の画像位置に確実に一致させることができるようにする。【解決手段】カラー画像形成装置１００に、ＣＰＵ２０１を有する制御部２００を設けた。ＣＰＵ２０１は、第１調整処理時に、画像のサイズが所定のサイズに一致するように倍率を調整するための第１調整値を決定する。第２調整処理時に、第１調整値で変換して中間転写ベルト６１に形成したレジスト調整用パターン画像５０１５Ａ〜５０１８Ａ，５０１５Ｂ〜５０１８Ｂを、センサ２０６，２０７を介して読み取る。主走査方向Ｘについてレジスト調整用パターン画像５０１５Ａ〜５０１８Ａの位置が互いに一致し、レジスト調整用パターン画像５０１５Ｂ〜５０１８Ｂの位置が互いに一致するように第２調整値を決定する。【選択図】  図６
2010204301.tif 000002
【特許請求の範囲】
【請求項１】
複数色の単色画像のそれぞれを個別に形成する複数の単色画像形成部を備え、前記複数の単色画像形成部のそれぞれが形成する複数の単色画像を記録媒体上で互いに重ね合わせてカラー画像を形成するカラー画像形成装置において、
前記複数色のうちの基準となる第１色の画像について記録媒体上に形成した画像のサイズが所定のサイズに一致するように第１色の画像形成時の倍率を調整するための第１調整値を決定する第１調整処理と、前記第１調整値による調整後の倍率で記録媒体上に形成した前記複数色の画像のそれぞれのサイズが互いに一致するように第１色以外の各色の画像形成時の倍率を調整するための第２調整値を決定する第２調整処理と、をこの順に実行するように構成された制御部を備えたカラー画像形成装置。
【請求項２】
前記制御部は、前記第２調整処理時に、前記第１調整値による調整後の倍率で記録媒体上に形成した前記複数色の画像のそれぞれの位置が互いに一致するように前記第２調整値を決定する請求項１に記載のカラー画像形成装置。
【請求項３】
前記複数の単色画像形成部のそれぞれは記録媒体上の互いに直交する２方向のうちの一方に平行な主走査方向に沿って１ラインずつ画像を形成し、前記制御部は、前記第１及び第２調整処理時に前記主走査方向の倍率を調整する請求項１又は２に記載のカラー画像形成装置。
【請求項４】
前記複数の単色画像形成部のうち前記第１色の画像を形成する第１色画像形成部が形成した記録媒体上のパターン画像のサイズ情報を読み取る読取手段を備え、前記制御部は前記第１調整処理時に前記第１読取手段が読み取ったサイズ情報に基づいて前記第１調整値を決定する請求項１乃至３の何れかに記載のカラー画像形成装置。
【請求項５】
前記複数の単色画像形成部のうち前記第１色の画像を形成する第１色画像形成部が形成した記録媒体上のパターン画像のサイズ情報の入力操作を受け付ける操作手段を備え、前記制御部は前記第１調整処理時に前記操作手段から入力されたサイズ情報に基づいて前記第１調整値を決定する請求項１乃至３の何れかに記載のカラー画像形成装置。
【請求項６】
前記複数の単色画像形成部のそれぞれが記録媒体上における主走査方向の少なくとも２箇所を含む範囲に形成したパターン画像のそれぞれの位置情報を主走査方向の２箇所で読み取るセンサ手段を備え、前記制御部は前記第２調整処理時に前記センサ手段が読み取った各色２箇所ずつの位置情報に基づいて前記第２調整値を決定する請求項１乃至５の何れかに記載のカラー画像形成装置。
【発明の詳細な説明】
【技術分野】
【０００１】
この発明は、用紙や中間転写体等の記録媒体にカラー画像を形成する複写機、プリンタ、ファクシミリ等のカラー画像形成装置に関する。
【背景技術】
【０００２】
カラー画像形成装置は、一般に、複数色の単色画像を重ね合わせてカラー画像を形成する。電子写真方式の画像形成処理によってカラー画像を形成する場合、例えばシアン（Ｃ）、マゼンタ（Ｍ）及びイエロー（Ｙ）の減法混色の３原色に黒（Ｂｋ）を加えた合計４色のトナー像を個別に形成し、これらを記録媒体上で重ね合わせる。色ずれのない高品質のカラー画像を形成するためには、記録媒体上での４色のトナー像の位置を正確に一致させる必要がある。
【０００３】
電子写真方式の画像形成処理では、画像データで変調された光ビームの走査によって感光体の表面に形成された静電潜像をトナー像に可視像化した後、トナー像を記録媒体に転写する。光ビームの走査方向（主走査方向）における記録媒体上でのトナー像の位置は、光ビームの走査開始タイミングだけでなく、画像形成倍率によっても変位する。受操作方向における画像形成倍率は、光ビームの走査速度、光学系部品の個体差及び取付位置の精度によって変動する。
【０００４】
そこで、電子写真方式の画像形成処理では、４色のトナー像の転写位置を正確に一致させるために、各色について画像形成倍率の調整（倍率調整）と光ビームの走査開始タイミングの調整（レジスト調整）とが行われる。これは、電子写真方式以外の画像形成処理によってカラー画像を形成する場合も同様であり、インクジェット方式の画像形成処理ではインクヘッドの移動速度の調整及び移動開始タイミングの調整が行われる。
【０００５】
従来のカラー画像形成装置には、主走査方向に平行な横線と斜行する斜線とを含む色毎のパターン画像を記録媒体に形成し、このパターン画像の読取結果に基づいて倍率調整及びレジスト調整を行うものがある（例えば、特許文献１又は２参照。）。これらのカラー画像形成装置では、先ず、基準色（例えばＢｋ）についてパターン画像の読取結果から主走査方向の倍率調整を行い、次いで、基準色のパターン画像に対する基準色以外の色のパターン画像のレジスト調整が行われる。レジスト調整において、基準色のパターン画像の位置に基準色以外の色のパターン画像の位置を一致させる際に、同時に基準色以外の色の倍率調整が行われる。
【先行技術文献】
【特許文献】
【０００６】
【特許文献１】特許第２６４２３５１号公報
【特許文献２】特開２００２−１６０３９９号公報
【発明の概要】
【発明が解決しようとする課題】
【０００７】
従来のカラー画像形成装置では、未調整の基準色以外の色の画像についてレジスト調整時に同時に倍率調整を行っていた。主走査方向について画像形成倍率を変化させると画像位置も変位する。倍率調整後の基準色の画像と調整前の基準色以外の色の画像との倍率差が大きい場合には、レジスト調整時に基準色以外の色の画像のレジスト量が調整可能範囲を超え、基準色以外の色の画像位置を基準色の画像位置に一致させることができなくなる可能性がある。
【０００８】
この発明の目的は、基準色以外の色の画像について、倍率をレジスト調整前に仮調整することでレジスト調整時のレジスト量が調整可能範囲を超えないようにし、画像位置を基準色の画像位置に一致させることができるカラー画像形成装置を提供することにある。
【課題を解決するための手段】
【０００９】
この発明に係るカラー画像形成装置は、複数の単色画像形成部のそれぞれが形成する複数の単色画像を記録媒体上で互いに重ね合わせてカラー画像を形成するものであり、第１調整処理及び第２調整処理をこの順に行う制御部を備えている。制御部は、第１調整処理時に、複数色のうちの基準となる第１色（基準色）の画像について記録媒体上に形成した画像のサイズが所定のサイズに一致するように第１色の画像形成時の倍率を調整するための第１調整値を決定する。また、第２調整処理時に、第１調整値による調整後の倍率で記録媒体上に形成した複数色の画像のそれぞれのサイズが互いに一致するように第１色以外の各色の画像形成時の倍率を調整するための第２調整値を決定する。
【００１０】
この構成においては、第１色の画像のサイズを適正なサイズにするための第１調整値が決定された後、第１調整値による調整後の倍率で記録媒体上に形成した第１色以外の各色の画像のサイズが適正なサイズとなるように第２調整値が決定される。したがって、第１色以外の各色の画像の倍率は、第１調整値で粗調整された後に、第２調整値で微調整される。第２調整処理による第２調整値を決定する前に第１色以外の各色の画像のサイズが適正なサイズとの誤差を少なくした状態にされるため、第２調整処理時の倍率の調整量が調整可能範囲を超えることがない。
【００１１】
この構成において、制御部は、第２調整処理時に、第１調整値による調整後の倍率で記録媒体上に形成した複数色の画像のそれぞれの位置が互いに一致するように第２調整値を決定するものとすることが好ましい。第１色以外の各色の倍率とともに画像形成位置が調整され、複数色の画像を記録媒体上で互いに重ね合わせることができ、色ずれの発生を防止するための調整を簡略化できる。
【００１２】
また、複数の単色画像形成部のそれぞれが記録媒体上の互いに直交する２方向のうちの一方に平行な主走査方向に沿って１ラインずつ画像を形成する場合に、制御部は第１及び第２調整処理時に主走査方向の倍率を調整するものとすることができる。
【００１３】
さらに、複数の単色画像形成部のうち第１色の画像を形成する第１色画像形成部が形成した記録媒体上のパターン画像のサイズ情報を読み取る読取手段を備えることで、読取手段が読み取ったサイズ情報に基づいて第１調整値を自動的に決定できる。また、複数の単色画像形成部のうち第１色の画像を形成する第１色画像形成部が形成した記録媒体上のパターン画像のサイズ情報の入力操作を受け付ける操作手段を備えることで、サイズ情報を読み取る手段を省略できる。
【００１４】
加えて、複数の単色画像形成部のそれぞれが記録媒体上における主走査方向の少なくとも２箇所を含む範囲に形成したパターン画像のそれぞれの位置情報を主走査方向の２箇所で読み取るセンサ手段を備えることで、センサ手段が読み取った各色２箇所ずつの位置情報に基づいて第２調整値を自動的に決定できる。
【発明の効果】
【００１５】
この発明によれば、基準色以外の各色の画像の倍率を第１調整値で粗調整した後に第２調整値で微調整することで、第２調整値を決定する前に基準色以外の各色の画像のサイズと適正なサイズとの誤差を少なくした状態にすることができる。これによって、基準色以外の色の画像位置を基準色の画像位置に確実に一致させることができる。
【図面の簡単な説明】
【００１６】
【図１】この発明の実施形態に係るカラー画像形成装置の概略の正面断面図である。
【図２】同カラー画像形成装置が備える制御部のブロック図である。
【図３】同制御部の主走査倍率調整処理時の処理手順を示すフローチャートである。
【図４】主走査倍率調整処理に用いられる倍率調整用パターン画像の一例を示す図である。
【図５】主走査倍率調整処理に用いられる倍率調整用パターン画像の別の例を示す図である。
【図６】主走査倍率調整処理に用いられるレジスト調整用パターン画像の一例を示す図である。
【図７】主走査倍率調整処理における画像の調整状態を示す模式図である。
【発明を実施するための形態】
【００１７】
図１に示すように、画像形成装置１００は、給紙部８０、画像読取部９０、画像形成部１１０、制御部２００を備え、原稿から読み取った画像データに基づいて、記録媒体である用紙に多色又は単色の画像形成処理を行なう。なお、画像形成装置１００は、外部装置から入力される画像データに基づく画像形成処理をも行うものであってもよい。
【００１８】
画像読取部９０は、自動原稿搬送装置１２０の原稿搬送機能によって自動的に原稿台９２上に載置された原稿、又はオペレータによる自動原稿搬送装置１２０の開閉操作を伴う手動によって原稿台９２上に載置された原稿から画像データを読み取る。なお、画像読取部９０は、この発明の読取手段としても機能する。
【００１９】
画像形成部１１０は、露光ユニット１、単色画像形成部１１１〜１１４、中間転写ユニット６、二次転写ユニット８、定着ユニット７を備えている。
【００２０】
単色画像形成部１１１〜１１４は同一の構成を有し、それぞれＢｋ、Ｃ、Ｍ、Ｙの単色の画像を形成する。単色画像形成部１１１〜１１４は、それぞれ現像器２、感光体ドラム３、クリーナユニット４、帯電器５を備えている。帯電器５は、感光体ドラム３の表面を所定の電位に均一に帯電させる。現像器２はそれぞれの感光体ドラム３上に形成された静電潜像を単色のトナー像に顕像化する。クリーナユニット４は、感光体ドラム３の周面に残留したトナーを回収する。
【００２１】
露光ユニット１は、半導体レーザ、ポリゴンミラー、ｆθレンズ及び反射ミラー等の光学系部品を備えたレーザスキャニングユニットである。露光ユニット１は、Ｂｋ、Ｃ、Ｍ、Ｙのそれぞれの画像データで変調されたレーザ光のそれぞれで単色画像形成部１１１〜１１４の各感光体ドラム３の表面を軸方向に沿って露光走査し、静電潜像を形成する。
【００２２】
露光ユニット１における画像データによる光ビームの変調開始タイミングに応じて、感光体ドラム３の周面における主走査方向の静電潜像の位置が変化する。露光ユニット１におけるポリゴンミラーの回転速度に応じて、光ビームの走査速度が変化し、感光体ドラム３の周面における主走査方向の静電潜像の倍率が変化する。
【００２３】
中間転写ベルトユニット６は、中間転写ベルト（記録媒体）６１、駆動ローラ６２、従動ローラ６３、一次転写ローラ６４及びクリーニングユニット６５を有している。中間転写ベルト６１は、駆動ローラ６２及び従動ローラ６３に張架された無端ベルトであり、単色画像形成部１１１〜１１４を経由してループ状の経路に沿って回転する。一次転写ローラ６４は、単色画像形成部１１１〜１１４のそれぞれに対応して合計４本設けられている。一次転写ローラ６４は、感光体ドラム３の周面に形成されたトナー像を中間転写ベルト６の表面に転写する。
【００２４】
二次転写ユニット３０は、二次転写ベルト３１及び二次転写ローラ３２を備えている。二次転写ベルト３１は、複数のローラに張架された無端ベルトである。二次転写ローラ３２は、駆動ローラ６２との間に二次転写ベルト３１及び中間転写ベルト６２を挟持する。
【００２５】
カラー画像形成時には、中間転写ベルト６が単色画像形成部１１１〜１１４を順次通過する間に、Ｂｋ、Ｃ、Ｍ、Ｙの単色のトナー像が中間転写ベルト６の表面の同一位置に順次転写され、減法混色によってカラー画像が形成される。二次転写ユニット３０は、中間転写ベルト６の表面のトナー像を用紙に転写する。
【００２６】
定着ユニット７は、中間転写ベルト６と二次転写ローラ３１との間を通過してトナー像が転写された用紙を加熱及び加圧する。用紙に転写されたトナー像が、用紙の表面に堅牢に定着する。定着ユニット７を通過した用紙は、画像形成部１１０の上方に配置された排紙トレイ９１に排出される。
【００２７】
給紙部８０は、給紙カセット８１及び手差しトレイ８２を備えている。給紙カセット８１は、印刷処理に使用する複数枚の用紙Ｐを収納しており、露光ユニット１の下側に設けられている。手差しトレイ８２は、画像形成装置１００の側面に装備されている。給紙部８０は、ピックアップローラ８３又は８４の回転により、給紙カセット８１又は手差しトレイ８２から用紙を１枚ずつ用紙搬送路４０に給紙する。用紙搬送路４０は、給紙部８０から中間転写ベルト６と二次転写ユニット３０との間及び定着ユニット７を経由して排紙トレイ９１に至る間に形成されている。
【００２８】
図２に示す制御部２００は、第１調整値を決定する第１調整処理及び第２調整値を決定する第２調整処理をこの順に実行するように構成されている。
【００２９】
第１調整値は、Ｂｋ、Ｃ、Ｍ、Ｙの４色のうちの基準色となるＢｋ（この発明の第１色である。）の画像について中間転写ベルト６上に形成した画像のサイズが所定のサイズに一致するように第１色の画像形成時の倍率を調整するための調整値である。第２調整値は、第１調整値による調整後の倍率で中間転写ベルト６上に形成したＢｋ、Ｃ、Ｍ、Ｙの４色の画像のそれぞれのサイズが互いに一致するようにＣ、Ｍ、Ｙ（この発明の第１色以外の色である。）の各色の画像形成時の倍率を調整するための調整値である。
【００３０】
なお、この実施形態に係るカラー画像形成装置では、モノクロ画像形成処理の頻度を考慮してＢｋを基準色とするとともにＣ、Ｍ、Ｙの３色を基準色以外の色としているが、これに限るものではない。また、Ｂｋ、Ｃ、Ｍ、Ｙの４色でカラー画像を形成するものに限るものでもない。
【００３１】
制御部２００は、ＲＯＭ２０２及びＲＡＭ２０３を備えたＣＰＵ２０１に、ＬＳＵコントローラ２０４、モータドライバ２０５、パネルコントローラ２０８等の機器を接続して構成されている。ＲＯＭ２０２は、ＣＰＵ２０１の処理手順を規定するプログラムを記憶している。ＣＰＵ２０１は、このプログラムに従って各機器を統括して制御する。ＲＡＭ２０３は、不揮発性メモリであり、この間にＣＰＵ２０１に入出力されるデータを格納する。
【００３２】
ＬＳＵコントローラ２０４は、ＣＰＵ２０１から供給されるデータに基づいて、露光ユニット１におけるＢｋ、Ｃ、Ｍ、Ｙの４色のそれぞれの画像データによるレーザ光の変調開始タイミングを制御する。
【００３３】
モータドライバ２０５は、ＣＰＵ２０１から供給されるデータに基づいて、ポリゴンミラーに回転を供給するポリゴンモータを駆動する。
【００３４】
ＣＰＵ２０１には、センサ２０６，２０７から読取データが入力される。センサ２０６，２０７は、この発明のセンサ手段に相当し、中間転写ベルト６の表面に対向して、主走査方向に並べて配置されており、中間転写ベルト６に転写されたパターン画像を読み取る。
【００３５】
また、ＣＰＵ２０１には、画像読取部９０が読み取った画像データが入力される。画像読取部９０は、この発明の読取手段としても機能する。
【００３６】
パネルコントローラ２０８は、画像形成装置１００の上面に配置されている操作パネル３００を制御し、操作パネル３００に設けられている操作部材の操作情報をＣＰＵ２０１に入力する。
【００３７】
一例として、操作パネル３００には、サイズ情報の入力操作を受け付けるサイズ情報入力部材３０１が配置される。サイズ情報入力部材３０１は、この発明の操作手段に相当する。ＣＰＵ２０１は、パネルコントローラ２０８を介して、サイズ情報入力部材３０１の操作によって入力されたサイズ情報を読み取る。
【００３８】
カラー画像形成時に色ずれのないカラー画像を形成するためには、中間転写ベルト６の表面の同一位置にＢｋ、Ｃ、Ｍ、Ｙの単色のトナー像を転写する必要がある。したがって、感光体ドラム３の軸方向に平行な主走査方向については、単色画像形成部１１１〜１１４のそれぞれの感光体ドラム３の周面の同一位置に同一の倍率で静電潜像を形成する必要がある。
【００３９】
感光体ドラム３の周面における主走査方向の静電潜像の倍率及び形成位置は、露光ユニット１が有する光学系部品の個体差や取付位置の精度の影響を受け、レーザ光の変調開始タイミング及びポリゴンミラーの回転速度によって変動する。
【００４０】
そこで、画像形成装置１００は、主走査倍率調整を所定のタイミングで実施し、単色画像形成部１１１〜１１４のそれぞれが有する感光体ドラム３の周面の同一位置に同一の倍率で静電潜像が形成されるようにする。これによって、中間転写ベルト６の表面の同一位置にＢｋ、Ｃ、Ｍ、Ｙの単色のトナー像が転写されるようにし、カラー画像の色ずれを防止する。
【００４１】
図３に示すように、主走査倍率調整時に、ＣＰＵ２０１は、ＲＯＭ２０２から一例として図４に示す倍率調整用パターン画像４０１の画像データを読み出し、ＬＳＵコントローラ２０４に供給して画像形成処理を行い、この記録媒体としての用紙に倍率調整用パターン画像４０１を等倍率で形成する（Ｓ１）。次いで、ＣＰＵ２０１は、操作パネル３００の操作によるサイズ情報の入力を待機する（Ｓ２）。作業者は、用紙に形成された倍率調整用パターン画像４０１における主走査方向Ｘに平行な長さＬ１を測定し、この測定結果を操作パネル３００の操作によってサイズ情報として入力する。
【００４２】
ＣＰＵ２０１は、入力されたサイズ情報と基準値（例えば、２４０ｍｍ）とから第１調整値を算出する（Ｓ３）。第１調整値は、画像形成処理時に指定された画像形成倍率に対する補正値である。画像形成処理時に指定された画像形成倍率に第１調整値を掛け合わせることで、用紙上に所望のサイズの画像を形成することができる。ＣＰＵ２０１は、算出した調整用倍率をＲＡＭ２０３の所定のメモリエリアに格納する（Ｓ４）。Ｓ１〜Ｓ４の処理が、この発明の第１調整処理である。
【００４３】
なお、作業者が長さＬ１の基準値を認知している場合には、第１調整値の算出を作業者に行わせ、作業者が第１調整値を操作パネルから入力するようにしてもよい。また、一例として図５に示す倍率調整用パターン画像４０２が形成された用紙を画像読取部９０で読み取り、読み取った画像データにおける長さＬ１をＣＰＵ２０１が計測することとしてもよい。この場合、作業者は、倍率調整用パターン画像４０２が形成された用紙を原稿台９２上に載置した後に画像読取動作の開始を指示する。さらに、中間転写ベルト６１を記録媒体として倍率調整用パターン画像４０２を形成し、中間転写ベルト６１の表面に対向して配置された読取手段によって倍率調整用パターン画像４０２の画像データを読み取ることもできる。
【００４４】
この後、ＣＰＵ２０１は、図６に示すレジスト調整用パターン画像５０１を、第１調整値によって倍率変換し（Ｓ５）、この状態で記録媒体としての中間転写ベルト６１の表面に形成する（Ｓ６）。ＣＰＵ２０１は、センサ２０６，２０７を介してレジスト調整用パターン画像５０１を読み取り（Ｓ７）、この読取結果に基づいて第２調整値を算出する（Ｓ８）。
【００４５】
レジスト調整用パターン画像５０１は、一例して、主走査方向Ｘの２箇所に、副走査方向Ｙに沿って配置されたＢｋ、Ｃ、Ｍ、Ｙの各色４本ずつの直線５１１Ａ〜５１４Ａ，５１１Ｂ〜５１４Ｂと４本ずつの斜線５１５Ａ〜５１８Ａ，５１５Ｂ〜５１８Ｂとで構成されている。ＣＰＵ２０１は、第２調整値の算出にあたって、センサ２０６を介して直線５１１Ａ〜５１４Ａ及び斜線５１５Ａ〜５１８Ａを順次読み取り、センサ２０７を介して直線５１１Ｂ〜５１４Ｂ及び斜線５１５Ｂ〜５１８Ｂを順次読み取る。レジスト調整用パターン画像５０１が、主走査方向Ｘの２箇所に形成されているのは、画像の傾き補正のためである。
【００４６】
ＣＰＵ２０１は、斜線５１５Ａに対する斜線５１６Ａ〜５１８Ａの主走査方向Ｘにおけるずれ量、及び斜線５１５Ｂに対する斜線５１６Ｂ〜５１８Ｂの主走査方向Ｘにおけるずれ量が０になるように、Ｃ、Ｍ、Ｙの各色の走査開始タイミングとともに第２調整量を決定する。ＣＰＵ２０１は、算出した第２調整量をＲＡＭ２０３の所定のメモリエリアに格納し（Ｓ９）、主走査倍率調整処理を終了する。Ｓ５〜Ｓ９の処理が、この発明の第２調整処理である。
【００４７】
以上の処理により、基準色であるＢｋについて適正なサイズで記録媒体に画像形成するための第１調整値を算出し、基準色以外の色であるＣ、Ｍ、Ｙの各色について第１調整値で画像形成倍率を粗調整した状態でレジスト調整を行う。
【００４８】
上記の処理を図７を用いて模式的に説明する。図７（Ａ）に示すように、適正な画像位置にある適正なサイズの画像Ｇに対して、Ｂｋの画像Ｇ１はサイズが小さく、Ｃの画像Ｇ２はサイズが小さくかつ画像位置が矢印Ｘ１側に偏っている場合を考える。
【００４９】
この場合、先ず、第１調整処理によって、画像Ｇ１のサイズが画像Ｇのサイズに一致するように画像Ｇ１の画像形成倍率の第１調整値が決定され、画像Ｇ１１のように適正なサイズにされる。
【００５０】
次に、第２調整処理時に、画像Ｇ２が画像形成倍率を第１調整値で調整した画像Ｇ１２の状態で、矢印Ｘ２方向に移動させるレジスト調整が行われる。画像Ｇ１２を適正な位置に一致させるために必要なレジスト量Ｄ１は、画像形成倍率を第１調整値で調整しない場合の画像Ｇ２を適正な位置に一致させるために必要なレジスト量Ｄ２よりも十分に小さくなる。
【００５１】
このように、主走査方向Ｘについて、レジスト調整用パターン画像５１６Ａ〜５１８Ａ，５１６Ｂ〜５１８Ｂの位置は、適正な位置にあるレジスト調整用パターン画像５１５Ａ，５１５Ｂの位置から大きく離間することがない。したがって、レジスト調整用パターン画像５１６Ａ〜５１８Ａ及び５１６Ｂ〜５１８Ｂの位置をレジスト調整用パターン画像５１５Ａ及び５１５Ｂの位置に一致させるためのレジスト量が調整可能範囲を超えることがなく、レジスト調整が適正に行われる。
【００５２】
なお、第１調整値の算出前に主走査方向ＸにおけるＢｋの画像位置が適正であることを前提に、レジスト調整用パターン画像５１５Ａ〜５１８Ａ，５１５Ｂ〜５１８Ｂの第１調整値による倍率変換は、主走査方向Ｘのセンター位置を基準に行うことが好ましい。レジスト調整用パターン画像５１６Ａ〜５１８Ａ，５１６Ｂ〜５１８Ｂの位置が、レジスト調整用パターン画像５１５Ａ，５１５Ｂの位置から離間することをより確実に防止できる。
【００５３】
ＣＰＵ２０１は、モノクロ画像形成時には、ＲＡＭ２０３に格納されている第１調整値を読み出し、設定された画像形成倍率に第１調整値を掛け合わせた倍率でＢｋの画像データを変換する。また、カラー画像形成時には、ＲＡＭ２０３に格納されている第１調整値及び第２調整値を読み出し、設定された画像形成倍率に第１調整値を掛け合わせた倍率でＢｋの画像データを変換し、第２調整値を掛け合わせた倍率でＣ、Ｍ、Ｙの各色の画像データを変換する。これによって、色ずれのない高品質のカラー画像を形成することができる。
【００５４】
なお、上述の実施形態では、電子写真方式のカラー画像形成装置を例に挙げて説明したが、インクジェット方式のカラー画像形成装置にもこの発明を同様に実施できる。
【００５５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内での全ての変更が含まれることが意図される。
【符号の説明】
【００５６】
１−露光ユニット
３−感光体ドラム
６−中間転写ベルト（記録媒体）
９０−画像読取部（読取手段）
１００−カラー画像形成装置
１１０−画像形成部
２００−制御部
２０６，２０７−センサ（センサ手段）
３００−操作パネル
３０１−サイズ情報入力部材（操作手段）
１１０１〜１１０４−画像形成ステーション（単色画像形成部）
【図１】
2010204301.tif 000003
【図２】
2010204301.tif 000004
【図３】
2010204301.tif 000005
【図４】
2010204301.tif 000006
【図５】
2010204301.tif 000007
【図６】
2010204301.tif 000008
【図７】
2010204301.tif 000009